(57)【要約】      （修正有）【課題】美観を損なうことなくコードを整理及び収納できるコード用整理掛合部品の構造を提供する。【解決手段】二つの第一辺１０と二つの第二辺２０及び二つの凸体３０を具有する中空の枠体で構成される。二つの第一辺は縦方向に沿って平行になるように配置し、二つの第二辺は幅方向に沿って平行になるよう配置し、第一辺と接続して枠体を形成し、更に縦方向と垂直になる開口を形成する。各第二辺は外側に縦方向と垂直且つ開口に向けた凸アーチライン２１を延伸する。二つの凸体はそれぞれ対称に二つの第二辺の相対面に凸設し、各凸体には開口に向けた一つの斜面部３１を設ける。コードを枠体の開口より入れて、二つの凸体の斜面部を通過させれば、二つの凸体と二つの第一辺の間に彎曲保持され掛合状態を形成する。コードの長さ方向に複数の彎曲ポイントを形成することで、同じ長さの束に折りたたんでコードを整理できる。【選択図】図４
0003187760.tif 000002
【実用新案登録請求の範囲】
【請求項１】
第一辺、第二辺及び凸体を具有する中空の枠体を含み、
該二つの第一辺は縦方向に沿って平行になるように配置し、
該二つの第二辺は幅方向に沿って平行になるよう配置し、且つそれぞれ該二つの第一辺と接続して枠体を形成し、更に縦方向と垂直になる開口を形成し、及び、
該二つの凸体は対称になるようそれぞれ二つの第二辺の相対面に凸設し、各凸体の上には更に一つの該開口に向けた斜面部を設け、
該コードの部分を該整理掛合部品の開口より入れ、且つ該二つの凸体の斜面部に沿って内側に移し、該二つの凸体を通過し、コードを該二つの凸体と該二つの第一辺の間に保持することで、該整理掛合部品と該コードは完全に掛合し、定位を形成することを特徴とするコード用整理掛合部品の構造。
【請求項２】
前記各凸体の断面形状は三角形、台形、Ｊ字型或いはＩ字型とすることができることを特徴とする請求項１記載のコード用整理掛合部品の構造。
【請求項３】
前記整理掛合部品の枠体の外形は矩形或いは長い楕円型とすることができることを特徴とする請求項１記載のコード用整理掛合部品の構造。
【請求項４】
前記整理掛合部品の各第二辺は近隣する該開口の片側から外側に、縦方向と垂直となる凸アーチラインを延伸することを特徴とする請求項１記載のコード用整理掛合部品の構造。
【請求項５】
前記整理掛合部品の各第二辺の凸アーチラインを設ける反対側に凸アーチラインと対応する凹アーチラインを形成することを特徴とする請求項４記載のコード用整理掛合部品の構造。
【請求項６】
前記整理掛合部品の各第二辺のアーチラインを設ける反対側は水平な直線とすることを特徴とする請求項４記載のコード用整理掛合部品の構造。
【請求項７】
前記整理掛合部品の各第二辺の該開口に近い片側を水平な直線とし、該開口から離れた片側を水平な直線とすることを特徴とする請求項１記載のコード用整理掛合部品の構造。
【請求項８】
前記整理掛合部品の各凸体の斜面部の形状を矩形面とすることを特徴とする請求項１記載のコード用整理掛合部品の構造。
【請求項９】
前記整理掛合部品の各凸体の斜面部の形状をＵ字型面とすることを特徴とする請求項１記載のコード用整理掛合部品の構造。
【請求項１０】
前記整理掛合部品の各凸体の斜面部の形状を三角形面とすることを特徴とする請求項１記載のコード用整理掛合部品の構造。
【考案の詳細な説明】
【技術分野】
【０００１】
本考案は一種の掛合部品の構造に関し、特にコードを整理する機能のある掛合部品の構造に関する。
【背景技術】
【０００２】
日常生活において、電話線、電源コード、電化製品用コード及びインターネットケーブルなど、至る所に様々なコードがあり、これらのコードは一般的に方向不定の可とう性を具有する。これらのコードを使用しない時、或いは長すぎる際には、ユーザーは通常使用しない、或いは長すぎるコードの一部を収納することが多い。でなければこれらのコードはそのままにしていればスペースを占用し、絡まってしまう。また、コードを収納した後に不均等や整然としないなど、見た目がよくない欠点がある。
【０００３】
ドライヤーを例に上げると、従来技術のコードの収納方法は通常図１に示すように、ドライヤー１００のコード２００をドライヤー１００の外側に巻きつけたり、或いは図２に示すように、コード２００を任意に巻いたり、或いは図３に示すように、コード２００を折りたたむようにして曲げたりする。
【０００４】
しかし、図１、及び図２に掲げる収納方法の欠点は、コードは多くのスペースを占用し、コード同士が絡まるなど、ドライヤー１００全体の美観を損なう。図３の収納方法の欠点は、コード２００を折りたたんだ後、各彎曲するポイント間のコード２００の長さが一致せず、外観上整然とせず、美観を損なうことなどを鑑みて、更なる改善が必要であった。
【先行技術文献】
【特許文献】
【０００５】
【特許文献１】特開２００５−１５９２４８号公報
【考案の概要】
【考案が解決しようとする課題】
【０００６】
前記公知構造の欠点を解決するため、本考案はコードを整理及び収納しやすいコード用整理掛合部品を提供することを主な課題とする。
【課題を解決するための手段】
【０００７】
前記課題を解決するために、本考案はコード用整理掛合部品の構造を提供するものである。本考案をコードに掛合することで彎曲ポイントを形成し、数個の整理掛合部品を該コードの伸び方向に沿って、等間隔に該コードに掛合すると、該コードは各彎曲ポイントによって、連続して彎曲し、均等な長さの束を形成する。該整理掛合部品は一つの中空の枠体であり、それに含まれるのは二つの第一辺と二つの第二辺及び二つの凸体である。該二つの第一辺は縦方向に沿って平行になるように配置し、該二つの第二辺は幅方向に沿って平行になるよう配置し、且つそれぞれ該二つの第一辺と接続して枠体を形成し、更に縦方向と垂直になる開口を形成する。該二つの凸体は対称になるようそれぞれ二つの第二辺の相対面且つ該開口の内側に凸設し、各凸体に該開口に向けた一つの斜面部を設ける。それにより該コードの一部は枠体の開口より入れ、且つ該二つの凸体の斜面部に沿って内側に移し、更に該二つの凸体を通過し、コードを該二つの凸体と該二つの第一辺の間に保持することで、該整理掛合部品と該コードは完全に掛合し、且つ定位する。
【考案の効果】
【０００８】
本考案のコード用整理掛合部品によってコードに彎曲ポイントを形成し、数個の整理掛合部品を該コードの伸び方向に沿って、等間隔に該コードに掛合すると、該コードは各彎曲ポイントによって、連続して彎曲し、均等な長さの束を形成する。
【図面の簡単な説明】
【０００９】
【図１】従来技術の電器設備のコードの異なる三種類の収納状態の略図である。
【図２】従来技術の電器設備のコードの異なる三種類の収納状態の略図である。
【図３】従来技術の電器設備のコードの異なる三種類の収納状態の略図である。
【図４】本考案の整理掛合部品の第一実施例の立体図である。
【図５】図４の別の角度(仰視角)の立体図である。
【図６】図４の俯瞰図である。
【図７】図６の中線７−７の断面図である。
【図８】図６の中線８−８の断面図である。
【図９】本考案の整理掛合部品とコードを分離した時の略図である。
【図１０】本考案の整理掛合部品とコードを掛合した時の略図である。
【図１１Ａ】本考案の整理掛合部品とフラット型コードを掛合する動作状態図である。
【図１１Ｂ】本考案の整理掛合部品とフラット型コードを掛合する動作状態図である。
【図１２Ａ】本考案の整理掛合部品と丸型コードを掛合する動作状態図である。
【図１２Ｂ】本考案の整理掛合部品と丸型コードを掛合する動作状態図である。
【図１３】本考案の数個の整理掛合部品を使ってコードを掛合する略図である。
【図１４】図１３のコードを収納した後の略図である。
【図１５】本考案の整理掛合部品第二実施例の俯瞰図である。
【図１６】本考案の整理掛合部品第三実施例の縦方向から見た側視図である。
【図１７】本考案の整理掛合部品第四実施例の縦方向から見た側視図である。
【図１８】本考案の整理掛合部品第五実施例の幅方向から見た縦方向断面図である。
【図１９】本考案の整理掛合部品第六実施例の幅方向から見た縦方向断面図である。
【図２０】本考案の整理掛合部品第七実施例の幅方向から見た縦方向断面図である。
【図２１】本考案の整理掛合部品第八実施例の縦方向から見た縦方向断面図である。
【図２２】本考案の整理掛合部品第九実施例の縦方向から見た縦方向断面図である。
【考案を実施するための形態】
【００１０】
以下、本考案の構造と特徴および効果を、最良実施例と図面を参照しながら詳細に説明する。
【実施例】
【００１１】
図４から図８に示すように、本考案のコード用整理掛合部品１に含まれるのは二つの第一辺１０、二つの第二辺２０及び二つの凸体３０である。
【００１２】
該二つの第一辺１０は縦方向に沿って平行になるように配置する。該縦方向と該コード２の伸び方向は同じである。
【００１３】
該二つの第二辺２０は幅方向に沿って平行になるよう配置し、且つそれぞれ該二つの第一辺１０と接続して一つの中空の枠体を形成し、該枠体は更に縦方向と垂直になる開口４０を形成する。
【００１４】
該二つの凸体３０は対称になるようそれぞれ二つの第二辺２０の相対面且つ該開口４０の内側に凸設する。各凸体３０に該開口４０に向けた一つの斜面部３１を設けることで、二つの凸体３０の間の距離は一端が長く、別端は相対的に比較的に短くなる。距離が比較的長い一端は該開口４０に近く、距離が比較的短い一端は該開口４０から離れている。
【００１５】
使用する際に該整理掛合部品１はコード２に掛合して定位を形成し、該コードの伸び方向に一つの彎曲ポイント３を形成する。これにより、数個の整理掛合部品１を該コードの伸び方向に沿って等間隔に該コード２に掛合すると、ユーザーは該コード２の伸び方向を各整理掛合部品１に沿って彎曲すれば、該コード２を均等な長さの束に形成することができる。
【００１６】
図９、図１０、図１１Ａ、図１１Ｂ、図１２Ａ、図１２Ｂに示すように、使用時該コード２(フラット型或いは丸型のコードなど)の一つの予定位置を該整理掛合部品１の開口４０から入れ、且つ該二つの凸体３０の斜面部３１に沿って内側に移す(図１１Ａの矢印Ａ、図１２Ａの矢印Ｂに示すように)。該二つの凸体３０を通過し、コード２を該二つの凸体３０と該二つの第一辺１０の間(図１１Ｂ、図１２Ｂに示すように)に保持することで、該整理掛合部品１と該コード２は完全に掛合し、且つ該コード２の予定位置に一つの彎曲ポイント３を形成する。
【００１７】
図１３〜図１４に示すように、数個の整理掛合部品１を使って、該コード２の伸び方向に沿って等間隔に該コード２に掛合し(図１３の通り)、同時に数個の等間隔に配列する彎曲ポイント３を形成することで、該コード２は各彎曲ポイント３を利用して順に一つの均等な長さの束に形成することができる(図１４の通り)。更に説明すると、該コード２を収納する過程において、有効的に占用スペースを減少できるよう、上述の数個の整理掛合部品１の向きを上下交互に交差して等間隔に該コード２に掛合して配置すると、ユーザーはもっと簡単に手軽に該コード２を折りたたむことができる。また、折りたたんだ後のコード２の外側を更にマジックテープやゴムなどのバンドルアイテム５０を使うと、該コード２は図１４に示すように散らばらない。
【００１８】
図６に示すように、該整理掛合部品１の枠体構造の外形は矩形とすることはできるが、それによって制限されず、図１５のような長い楕円形とすることもできる。
【００１９】
図４、図８、図１６、図１７に示すように、該整理掛合部品１の第二辺２０の形状は、ユーザーのニーズに合わせて様々な形にデザインすることができる。例を挙げると、該整理掛合部品１の各第二辺２０は近隣する該開口４０の片側では水平な直線、或いは縦方向と垂直となる凸アーチライン２１を形成することができ、反対側（つまり該開口４０と離れた片側）は、水平な直線、或いは該凸アーチライン２１と対応する凹アーチライン２２を形成することができる。
【００２０】
本考案の最良実施例として、該整理掛合部品１の各第二辺２０の片側に縦方向と垂直且つ該開口４０に向けた凸アーチライン２１を形成し、反対側には凸アーチライン２１と対応する凹アーチライン２２を形成することで、各第二辺２０が一つのアーチ型構造を形成する。つまり第二辺２０の両端の中央部は彎曲している。
【００２１】
図７、図１８、図１９及び図２０に示すのは該整理掛合部品１１の幅方向から見たものである。各凸体３０の断面形状は図７では三角形、図１８では台形、図１９ではＪ字型、図２０ではＩ字型とすることができる。図２０に示すように、該整理掛合部品１は更にパンチング加工を利用して各凸体３０を作成することができる。もっと詳しく説明するに、該整理掛合部品１の第二辺２０の外側から内側に向かってパンチングすることで、該第二辺２０の上の部分の壁面は元の壁面と分離し、且つ内側に突出して該凸体３０を形成し、それによって該凸体３０の断面形状をＩ字型にする。この他、図１９、図２０に示すように、該整理掛合部品１の凸体３０の断面形状はそれぞれＪ字型とＩ字型とすることで、第二辺２０の壁面の間に一つのスペース３２を形成し、該凸体３０は該スペース３２を介して弾性変形の動きをすることができるため、コード２が凸体３０と抵触して移動する際、該凸体３０の弾性変形を利用して、ユーザーが整理掛合部品１とコード２を掛合する際に、もっと手軽に簡単に操作をすることができる。
【００２２】
図８、図２１、図２２に示すのは該整理掛合部品１１の縦方向から見たものである。各凸体３０の斜面部３１の形状は、矩形面、Ｕ字型面或いは三角面とすることができる。
【００２３】
該コード２と該整理掛合部品１が互いに掛合する際、整理掛合部品１の第二辺２０がアーチ型構造を呈すことで、該コード２が該整理掛合部品１を通過し、且つ該二つの凸体３０と二つの第一辺１０との間に保持してある場合、コード２は過大に角度を彎曲せず、僅かな彎曲のみ形成する。このような僅かな彎曲はコード２を伸ばして使用する際には、不良な影響を与えることがない。
【００２４】
該整理掛合部品１の材質は制限を受けず、ＰＰなど様々なプラスティックの材料を使って一体製造することができ、それによって該整理掛合部品１は適切な弾性を具有し、操作しやすく壊れにくい。
【００２５】
使用する際、ユーザーは他のツールを使わなくとも、簡単に整理掛合部品１をコード２に掛合し、手軽に該整理掛合部品１とコード２を掛合する作業を完成することができ、且つコード２の正常な使用に影響を及ぼさない。この他、ユーザーが毎回コード２を収納する過程において、整理掛合部品１を使ってコード２を均等な束に収納することができ、コード２を収納する時間も節約することができる。
【００２６】
本考案のコード用整理掛合部品は従来技術よりもコードを収納した後の占用スペースを節約することができ、収納スペースの利用価値を高める。同時に従来技術のコードを収納する際に、絡まりやすい欠点を解決することができる。ユーザーは整理掛合部品１を使ってコード２を均等に、同じ長さの整然とした束に折りたたむことができ、占用スペースを減らし、収納しやすく及び美観を伴うメリットと効果を得ることができる。
【００２７】
なお、本考案では好ましい実施例を前述の通り開示したが、これらは決して本考案に限定するものではなく、当該技術を熟知する者なら誰でも、本考案の精神と領域を脱しない均等の範囲内で各種の変動や潤色を加えることができることは勿論である。
【符号の説明】
【００２８】
１  整理掛合部品
２  コード
３  彎曲ポイント
１０  第一辺
２０  第二辺
２１  凸アーチライン
２２  凹アーチライン
３０  凸体
３１  斜面部
３２  スペース
４０  開口
５０  バンドルアイテム
１００  ドライヤー
２００  コード  
【図１】
0003187760.tif 000003
【図２】
0003187760.tif 000004
【図３】
0003187760.tif 000005
【図４】
0003187760.tif 000006
【図５】
0003187760.tif 000007
【図６】
0003187760.tif 000008
【図７】
0003187760.tif 000009
【図８】
0003187760.tif 000010
【図９】
0003187760.tif 000011
【図１０】
0003187760.tif 000012
【図１１Ａ】
0003187760.tif 000013
【図１１Ｂ】
0003187760.tif 000014
【図１２Ａ】
0003187760.tif 000015
【図１２Ｂ】
0003187760.tif 000016
【図１３】
0003187760.tif 000017
【図１４】
0003187760.tif 000018
【図１５】
0003187760.tif 000019
【図１６】
0003187760.tif 000020
【図１７】
0003187760.tif 000021
【図１８】
0003187760.tif 000022
【図１９】
0003187760.tif 000023
【図２０】
0003187760.tif 000024
【図２１】
0003187760.tif 000025
【図２２】
0003187760.tif 000026